(57)【要約】【課題】フランジ付近が肉厚とならず、かつ、接合箇所から飲料の侵入がない二重容器を提供する。【解決手段】二重容器は、外容器１と内容器２とからなる。内容器２は外容器１に内挿され、断熱空間３が形成される。二重容器は、下部嵌合構造３０と上部嵌合構造４０とを備える。下部嵌合構造３０は、外容器１下部に設けられた外容器下部嵌合部３１に内容器２下部に設けられた内容器下部嵌合部３３を嵌めることにより形成される。上部嵌合構造４０は、外容器１上部に設けられた外容器上部嵌合部４１に内容器２上部に設けられた内容器上部嵌合部４２を嵌めることにより形成される。外容器上部嵌合部４１は、外容器１の内壁に設けられる。下部嵌合構造３０の嵌合機能に伴って、上部嵌合構造４０が機能する。【選択図】図１
2019077457.tif 000002
【特許請求の範囲】
【請求項１】
外容器と、前記外容器に内挿される内容器とからなり、断熱空間が形成される二重容器であって、
前記外容器下部に設けられた外容器下部嵌合部に前記内容器下部に設けられた内容器下部嵌合部を嵌める下部嵌合構造と、
前記外容器上部に設けられた外容器上部嵌合部に前記内容器上部に設けられた内容器上部嵌合部を嵌める上部嵌合構造と、
を備え、
前記外容器上部嵌合部は、前記外容器の内壁に設けられる
ことを特徴とする二重容器。
【請求項２】
前記下部嵌合構造の嵌合機能に伴って、前記上部嵌合構造が機能するように形成される
ことを特徴とする請求項１記載の二重容器。
【請求項３】
前記下部嵌合構造は、前記外容器下部嵌合部が前記内容器下部嵌合部を押し下げるよう形成され、
前記上部嵌合構造は、前記内容器上部嵌合部が前記外容器上部嵌合部を押し下げるよう形成される
ことを特徴とする請求項１または２記載の二重容器。
【請求項４】
前記下部嵌合構造は、前記外容器下部嵌合部が前記内容器下部嵌合部を押し上げるよう形成され、
前記上部嵌合構造は、前記内容器上部嵌合部が前記外容器上部嵌合部を押し上げるよう形成される
ことを特徴とする請求項１または２記載の二重容器。
【請求項５】
前記下部嵌合構造は、前記外容器下部嵌合部が前記内容器下部嵌合部を押し下げるよう形成され、
前記上部嵌合構造は、前記内容器上部嵌合部が前記外容器上部嵌合部を押し上げるよう形成される
ことを特徴とする請求項１または２記載の二重容器。
【発明の詳細な説明】
【技術分野】
【０００１】
本発明は、外容器と内容器とからなり、断熱空間が形成される二重容器に関する。
【背景技術】
【０００２】
容器には熱い飲料や冷たい飲料が入れられることがある。
【０００３】
熱い飲料は高温が維持されることが好ましい。冷たい飲料は低温が維持されることが好ましい。また、熱い飲料が入った容器を持った時、熱くて不快感を覚えるおそれもある。また、冷たい飲料が入った容器を持った時、冷たくて不快感を覚えるおそれもある。
【０００４】
内容物の保温および持ち手への熱伝達抑制の観点から、断熱空間が形成された二重容器が用いられている。
【０００５】
樹脂製の外容器に樹脂製の内容器を積み重ねた二重容器が一般的である（例えば特許文献１）。
【先行技術文献】
【特許文献】
【０００６】
【特許文献１】特許４６１２３１３号公報
【発明の概要】
【発明が解決しようとする課題】
【０００７】
外容器に内容器を積み重ねる場合、内容器が外容器内でぐらつかない様に接合構造が重要となる。特許文献１では、外容器の断面カール状のフランジに内容器の断面半円状のフランジを嵌め合わせる例と、外容器の直立した胴部上端に内容器のフランジを掛止させる例とが開示されている。
【０００８】
２つの例とも、接合箇所から飲料の侵入がないように、内容器のフランジが外側になり、接合箇所を覆うように構成されている。
【０００９】
その結果、二重容器のフランジ付近が肉厚となる。容器のデザイン性に制約がある（言い換えると、外観が野暮ったく見える）とともに、飲料を飲むときの唇の触感が悪く、飲みにくく感じるおそれがある。
【００１０】
本発明は、上記課題を解決するものであり、フランジ付近が肉厚とならず、かつ、接合箇所から飲料の侵入がない二重容器を提供することを目的とする。
【課題を解決するための手段】
【００１１】
上記の目的を達成するために、本発明の二重容器は、外容器と、前記外容器に内挿される内容器と、からなる。外容器と内容器の間に断熱空間が形成される。二重容器は、前記外容器下部に設けられた外容器下部嵌合部に前記内容器下部に設けられた内容器下部嵌合部を嵌める下部嵌合構造と、前記外容器上部に設けられた外容器上部嵌合部に前記内容器上部に設けられた内容器上部嵌合部を嵌める上部嵌合構造と、を備える。前記外容器上部嵌合部は、前記外容器の内壁に設けられる。
【００１２】
これにより、外容器のフランジが内容器により覆われることがなく、外側に位置する。その結果、二重容器のフランジ付近が肉厚とならない。
【００１３】
上記発明において好ましくは、前記下部嵌合構造の嵌合機能に伴って、前記上部嵌合構造が機能するように形成される。
【００１４】
これにより、上部嵌合構造において確実に嵌合される。その結果、上部嵌合構造からの飲料の侵入がない。
【００１５】
上記発明において好ましくは、前記下部嵌合構造は、前記外容器下部嵌合部が前記内容器下部嵌合部を押し下げるよう形成され、前記上部嵌合構造は、前記内容器上部嵌合部が前記外容器上部嵌合部を押し下げるよう形成される。
【００１６】
上記発明において好ましくは、前記下部嵌合構造は、前記外容器下部嵌合部が前記内容器下部嵌合部を押し上げるよう形成され、前記上部嵌合構造は、前記内容器上部嵌合部が前記外容器上部嵌合部を押し上げるよう形成される。
【００１７】
上記発明において好ましくは、前記下部嵌合構造は、前記外容器下部嵌合部が前記内容器下部嵌合部を押し下げるよう形成され、前記上部嵌合構造は、前記内容器上部嵌合部が前記外容器上部嵌合部を押し上げるよう形成される。
【発明の効果】
【００１８】
本発明の二重容器よれば、フランジ付近が肉厚とならない。その結果、容器のデザイン性に制約がなく（言い換えると、スタイリッシュな外観を維持できる）とともに、飲料を飲むときの唇の触感が良く、飲みやすく感じる。
【００１９】
また、本発明の二重容器よれば、接合箇所から飲料の侵入がない。
【図面の簡単な説明】
【００２０】
【図１】概略構成図（第１実施形態）
【図２】動作説明図（第１実施形態）
【図３】概略構成図（第２実施形態）
【図４】動作説明図（第２実施形態）
【図５】概略構成図（第３実施形態）
【図６】動作説明図（第３実施形態）
【図７】動作説明図（第４実施形態）
【図８】半透明容器嵌合前
【図９】半透明容器嵌合後
【発明を実施するための形態】
【００２１】
〜共通構成〜
図１〜６に基づいて本発明に係る第１〜３実施形態について説明する。第１〜３実施形態に係る共通構成について説明する。
【００２２】
外容器１は、底部１１と、胴部１２と、フランジ部１３とを備える。内容器２は、底部２１と、胴部２２と、フランジ部２３とを備える。
【００２３】
胴部１２，２２は概略形状として略逆円錐台形状に形成される。すなわち、フランジ部１３，２３から底部１１，２１に向かって縮径するように形成される。
【００２４】
フランジ部１３，２３は、胴部１２，２２頂部から外周略水平方向に突出されている。
【００２５】
内容器２は外容器１に内挿され、外容器１と内容器２との間には断熱空間３が形成される。
【００２６】
二重容器は下部嵌合構造３０と上部嵌合構造４０とを備える。下部嵌合構造３０の嵌合機能に伴って、上部嵌合構造４０が機能する。
【００２７】
以下、下部嵌合構造３０および上部嵌合構造４０の詳細構成および動作について説明する。
【００２８】
〜第１実施形態〜
図１は第１実施形態に係る概略構成図である。図２は第１実施形態に係る動作説明図である。
【００２９】
第１実施形態の下部嵌合構造３０について説明する。
【００３０】
外容器胴部１２の下部において容器内側に突出するような突起３１が設けられている。例えば、略水平段と略水平段から底部１１に向かって拡径する逆テーパの交わる箇所に突起３１が形成される。
【００３１】
内容器胴部２２の下部において略水平段３２と略水平段３２から底部２１に向かって拡径する逆テーパ３３が形成される。
【００３２】
外容器１中心軸から突起３１までの距離（Ｒ１）は、内容器２中心軸から逆テーパ３３下端までの距離（Ｒ２）より、短い。
【００３３】
外容器１中心軸から突起３１までの距離（Ｒ１）は、内容器２中心軸から逆テーパ３３上端までの距離（Ｒ３）とほぼ同程度である。
【００３４】
したがって、内容器２が外容器１に挿入される際、内容器２の底部２１は突起３１に当たり、挿入が阻害されるが、更に強く押し込むと、突起３１は逆テーパ３３に沿って移動し、略水平段３２に係止される。
【００３５】
突起３１は、外容器１下部に設けられた外容器下部嵌合部を構成し、略水平段３２と逆テーパ３３は、内容器２下部に設けられた内容器下部嵌合部を構成する。
【００３６】
すなわち、外容器１の突起３１が形成する開口に、内容器２の逆テーパ３３が形成する筒を嵌めることにより、下部嵌合構造３０が機能する。
【００３７】
第１実施形態の上部嵌合構造４０について説明する。
【００３８】
外容器胴部１２の上部であって内壁において、上から下に向かって縮径するテーパ４１が形成されている。テーパ４１は胴部１２の略逆円錐台形状の一部であってもよい。テーパ４１の勾配は胴部１２の平均勾配に比べて急勾配であってもよい。
【００３９】
内容器１中心軸から内容器フランジ部２３の外縁下端４２までの距離（Ｒ４）は、外容器２中心軸からテーパ４１上端までの距離（Ｒ５）より、短い。
【００４０】
内容器１中心軸から内容器フランジ部２３の外縁下端４２までの距離（Ｒ４）は、外容器２中心軸からテーパ４１下端までの距離（Ｒ６）より、長い。
【００４１】
したがって、内容器２が外容器１に挿入される際、内容器２のフランジ部外縁下端４２は阻害されることなく挿入可能であるが、更に挿入されると、フランジ部外縁下端４２はテーパ４１に沿って移動し、テーパ４１途中で係止される。
【００４２】
テーパ４１は、外容器１上部に設けられた外容器上部嵌合部を構成し、フランジ部外縁下端４２は、内容器２上部に設けられた内容器上部嵌合部を構成する。
【００４３】
すなわち、外容器１のテーパ４１が形成する開口に、内容器２のフランジ部外縁下端４２が形成するリングを嵌めることにより、上部嵌合構造４０が機能する。
【００４４】
次いで、第１実施形態における、下部嵌合構造３０と上部嵌合構造４０との連動性について説明する。
【００４５】
下部嵌合構造３０において、突起３１は逆テーパ３３を水平方向に押そうとする。その結果、外容器１に対し、内容器２が押し下げられる。
【００４６】
内容器２全体が押し下げられるということは、当然、内容器２のフランジ部外縁下端４２も押し下げられる。フランジ部外縁下端４２はテーパ４１に沿って上から下に移動する。言い換えると、フランジ部外縁下端４２がテーパ４１を押し下げる。これにより、フランジ部外縁下端４２はテーパ４１に締め付けられ、より確実に嵌合される。
【００４７】
すなわち、下部嵌合構造３０の嵌合機能に連動して、上部嵌合構造４０が機能する。
【００４８】
〜第２実施形態〜
図３は第２実施形態に係る概略構成図である。図４は第２実施形態に係る動作説明図である。
【００４９】
第２実施形態の下部嵌合構造３０について説明する。
【００５０】
外容器胴部１２の下部において容器内側に突出するような突起３６が設けられている。例えば、略水平段と略水平段から底部１１に向かって拡径する逆テーパの交わる箇所に突起３６が形成される。
【００５１】
内容器胴部２２の下部において略水平段と略水平段から底部２１に向かって拡径する逆テーパ３７が形成される。
【００５２】
一方、外容器底部１１は、内容器底部２２に比べて大きな曲率を有する上に凸形状を有する。
【００５３】
外容器１中心軸から突起３６までの距離（Ｒ１１）は、内容器２中心軸から逆テーパ３７下端までの距離（Ｒ１２）より、短い。
【００５４】
外容器１中心軸から突起３６までの距離（Ｒ１１）は、内容器２中心軸から逆テーパ３７上端までの距離（Ｒ１３）より、長い。
【００５５】
したがって、内容器２が外容器１に挿入される際、内容器２の底部２１は突起３６に当たり、挿入が阻害されるが、更に強く押し込むと、突起３６は逆テーパ３７に沿って移動する。しかし、移動途中にて、外容器底部１１頂点が内容器底部２２に当たり、突起３６は逆テーパ３７上にて係止される。
【００５６】
突起３６と外容器底部１１は、外容器１下部に設けられた外容器下部嵌合部を構成し、逆テーパ３７と内容器底部２２は、内容器２下部に設けられた内容器下部嵌合部を構成する。
【００５７】
すなわち、外容器１の突起３６が形成する開口に、内容器２の逆テーパ３７が形成する筒を嵌め、板バネとして機能する外容器底部１１頂点の反力をとることにより、下部嵌合構造３０が機能する。
【００５８】
第２実施形態の上部嵌合構造４０について説明する。
【００５９】
外容器胴部１２の上部であって内壁において、上から下に向かって拡径する逆テーパ４６が形成されている。さらに逆テーパ４６と連続して、上から下に向かって縮径するテーパ４７が形成されている。テーパ４７は胴部１２の略逆円錐台形状の一部であってもよい。
【００６０】
内容器１中心軸から内容器フランジ部２３の外縁上端４８までの距離（Ｒ１４）は、外容器２中心軸から逆テーパ４６上端までの距離（Ｒ１５）より、長い。
【００６１】
内容器１中心軸から内容器フランジ部２３の外縁下端４２までの距離（Ｒ１４）は、外容器２中心軸から逆テーパ４６下端までの距離（Ｒ１６）より、短い。
【００６２】
したがって、内容器２が外容器１に挿入される際、内容器２のフランジ部外縁下端４８は逆テーパ４６に逆らいながら逆テーパ４６に沿って移動し、逆テーパ４６途中で係止される。
【００６３】
逆テーパ４６は、外容器１上部に設けられた外容器上部嵌合部を構成し、フランジ部外縁上端４８は、内容器２上部に設けられた内容器上部嵌合部を構成する。
【００６４】
すなわち、外容器１の逆テーパ４６が形成する開口に、内容器２のフランジ部外縁上端４８が形成するリングを嵌めることにより、上部嵌合構造４０が機能する。
【００６５】
次いで、第２実施形態における、下部嵌合構造３０と上部嵌合構造４０との連動性について説明する。
【００６６】
下部嵌合構造３０において、突起３６は逆テーパ３７上にて係止され反力を取りつつ、外容器底部１１は内容器底部２２を押し上げる。その結果、外容器１に対し、内容器２が押し上げられる。
【００６７】
内容器２全体が押し上げられるということは、当然、内容器２のフランジ部外縁上端４８も押し上げられる。フランジ部外縁上端４８は逆テーパ４６に沿って下から上に移動する。言い換えると、逆テーパ４６がフランジ部外縁上端４８を押し下げる。これにより、フランジ部外縁上端４８は逆テーパ４６に締め付けられ、より確実に嵌合される。
【００６８】
すなわち、下部嵌合構造３０の嵌合機能に連動して、上部嵌合構造４０が機能する。
【００６９】
〜第３実施形態〜
図５は第３実施形態に係る概略構成図である。図６は第３実施形態に係る動作説明図である。
【００７０】
第３実施形態の下部嵌合構造３０について説明する。第１実施形態の下部嵌合構造３０に類似する。
【００７１】
外容器胴部１２の下部において容器内側に突出するような突起３１が設けられている。例えば、略水平段と略水平段から底部１１に向かって拡径する逆テーパの交わる箇所に突起３１が形成される。
【００７２】
内容器胴部２２の下部において略水平段３２と略水平段３２から底部２１に向かって拡径する逆テーパ３３が形成される。
【００７３】
外容器１中心軸から突起３１までの距離（Ｒ１）は、内容器２中心軸から逆テーパ３３下端までの距離（Ｒ２）より、短い。
【００７４】
外容器１中心軸から突起３１までの距離（Ｒ１）は、内容器２中心軸から逆テーパ３３上端までの距離（Ｒ３）とほぼ同程度である。
【００７５】
したがって、内容器２が外容器１に挿入される際、内容器２の底部２１は突起３１に当たり、挿入が阻害されるが、更に強く押し込むと、突起３１は逆テーパ３３に沿って移動し、略水平段３２に係止される。
【００７６】
突起３１は、外容器１下部に設けられた外容器下部嵌合部を構成し、略水平段３２と逆テーパ３３は、内容器２下部に設けられた内容器下部嵌合部を構成する。
【００７７】
すなわち、外容器１の突起３１が形成する開口に、内容器２の逆テーパ３３が形成する筒を嵌めることにより、下部嵌合構造３０が機能する。
【００７８】
第３実施形態の上部嵌合構造４０について説明する。第２実施形態の上部嵌合構造４０に類似する。
【００７９】
外容器胴部１２の上部であって内壁において、上から下に向かって拡径する逆テーパ４６が形成されている。さらに逆テーパ４６と連続して、上から下に向かって縮径するテーパ４７が形成されている。テーパ４７は胴部１２の略逆円錐台形状の一部であってもよい。
【００８０】
内容器１中心軸から内容器フランジ部２３の外縁上端４８までの距離（Ｒ１４）は、外容器２中心軸から逆テーパ４６上端までの距離（Ｒ１５）より、長い。
【００８１】
内容器１中心軸から内容器フランジ部２３の外縁下端４２までの距離（Ｒ１４）は、外容器２中心軸から逆テーパ４６下端までの距離（Ｒ１６）より、短い。
【００８２】
したがって、内容器２が外容器１に挿入される際、内容器２のフランジ部外縁下端４８は逆テーパ４６に逆らいながら逆テーパ４６に沿って移動し、逆テーパ４６途中で係止される。
【００８３】
逆テーパ４６は、外容器１上部に設けられた外容器上部嵌合部を構成し、フランジ部外縁上端４８は、内容器２上部に設けられた内容器上部嵌合部を構成する。
【００８４】
すなわち、外容器１の逆テーパ４６が形成する開口に、内容器２のフランジ部外縁上端４８が形成するリングを嵌めることにより、上部嵌合構造４０が機能する。
【００８５】
次いで、第３実施形態における、下部嵌合構造３０と上部嵌合構造４０との連動性について説明する。
【００８６】
第３実施形態において、内容器２における下部嵌合構造３０と上部嵌合構造４０との距離（すなわち、逆テーパ３３上端とフランジ部外縁上端４８との垂直方向距離）（Ｌ２）は、外容器１における下部嵌合構造３０と上部嵌合構造４０との距離（すなわち、突起３１と逆テーパ４６係止位置との垂直方向距離）（Ｌ１）より長い。これにより、内容器２の胴部２２は板バネとして機能する。
【００８７】
下部嵌合構造３０において、突起３１は逆テーパ３３を水平方向に押そうとする。その結果、外容器１に対し、内容器２が押し下げられる。
【００８８】
一方、下部嵌合構造３０が反力をとりながら、内容器２の胴部２２は板バネとして機能することにより、内容器２のフランジ部外縁上端４８が押し上げられる。フランジ部外縁上端４８は逆テーパ４６に沿って下から上に移動する。言い換えると、逆テーパ４６がフランジ部外縁上端４８を押し下げる。これにより、フランジ部外縁上端４８は逆テーパ４６に締め付けられ、より確実に嵌合される。
【００８９】
すなわち、下部嵌合構造３０の嵌合機能に連動して、上部嵌合構造４０が機能する。
【００９０】
〜第４実施形態〜
図７は第４実施形態に係る動作説明図である。
【００９１】
第４実施形態の下部嵌合構造３０について説明する。第１実施形態の下部嵌合構造３０に類似する。
【００９２】
外容器胴部１２の下部において容器内側に突出するような突起３１が設けられている。例えば、略水平段と略水平段から底部１１に向かって拡径する逆テーパの交わる箇所に突起３１が形成される。
【００９３】
内容器胴部２２の下部において略水平段３２と略水平段３２から底部２１に向かって拡径する逆テーパ３３が形成される。
【００９４】
外容器１中心軸から突起３１までの距離（Ｒ１）は、内容器２中心軸から逆テーパ３３下端までの距離（Ｒ２）より、短い。
【００９５】
外容器１中心軸から突起３１までの距離（Ｒ１）は、内容器２中心軸から逆テーパ３３上端までの距離（Ｒ３）とほぼ同程度である。
【００９６】
したがって、内容器２が外容器１に挿入される際、内容器２の底部２１は突起３１に当たり、挿入が阻害されるが、更に強く押し込むと、突起３１は逆テーパ３３に沿って移動し、略水平段３２に係止される。
【００９７】
突起３１は、外容器１下部に設けられた外容器下部嵌合部を構成し、略水平段３２と逆テーパ３３は、内容器２下部に設けられた内容器下部嵌合部を構成する。
【００９８】
すなわち、外容器１の突起３１が形成する開口に、内容器２の逆テーパ３３が形成する筒を嵌めることにより、下部嵌合構造３０が機能する。
【００９９】
第４実施形態の上部嵌合構造４０について説明する。
【０１００】
外容器胴部１２の上部において、略水平段４３が形成されている。略水平段４３上面（内壁側）上に内容器フランジ部２３の下面４４が係止されている。
【０１０１】
さらに、第１実施形態の上部嵌合構造４０（外容器１のテーパ４１が形成する開口に、内容器２のフランジ部外縁下端４２が形成するリングを嵌める）を併用してもよい。
【０１０２】
テーパ４１と略水平段４３とは、外容器１上部に設けられた外容器上部嵌合部を構成し、フランジ部外縁下端４２とフランジ部下面４４は、内容器２上部に設けられた内容器上部嵌合部を構成する。
【０１０３】
次いで、第４実施形態における、下部嵌合構造３０と上部嵌合構造４０との連動性について説明する。
【０１０４】
下部嵌合構造３０において、突起３１は逆テーパ３３を水平方向に押そうとする。その結果、外容器１に対し、内容器２が押し下げられる。
【０１０５】
内容器２全体が押し下げられるということは、当然、内容器２のフランジ部２３も押し下げられる。内容器フランジ部下面４４は略水平段４３上面を押し付ける。更に、フランジ部外縁下端４２はテーパ４１に締め付けられ、より確実に嵌合される。
【０１０６】
すなわち、下部嵌合構造３０の嵌合機能に連動して、上部嵌合構造４０が機能する。
【０１０７】
〜効果〜
第１〜４実施形態において、外容器上部嵌合部４１，４３，４６は、外容器１の内壁に設けられており、内容器上部嵌合部４２，４４，４８は内容器２のフランジ２３に設けられている。
【０１０８】
すなわち、内容器２のフランジ２３が外容器１に内包され、外容器１のフランジ１３が覆われることがない。外容器１のフランジ１３のみが外側に位置する。
【０１０９】
これにより、二重容器のフランジ付近が肉厚とならない。その結果、容器のデザイン性に制約がなく（言い換えると、スタイリッシュな外観を維持できる）とともに、飲料を飲むときの唇の触感が良く、飲みやすく感じる。
【０１１０】
また、上部嵌合構造４０において確実に嵌合されており、内容器２のフランジ２３が外側になくとも、上部嵌合構造４０からの飲料の侵入がない。
【０１１１】
ところで、断熱効果が必要とされない場合は、外容器１および内容器２それぞれ、独自の容器として用いることができる。特に外容器１においてはデザインが考慮されており、意匠性を維持できる。
【０１１２】
〜備考〜
従来技術における二重容器においては、接合箇所から飲料の侵入がないように、内容器のフランジが外側になり、接合箇所を覆うように構成されている。
【０１１３】
したがって、内容器２のフランジ２３を外容器１に内包させるという発想がなかった。
【０１１４】
本願発明者は、上部嵌合構造４０をより確実に機能させることで、内容器２のフランジ２３を外容器１に内包させることを実現させた。以上の思考過程を経て、本願発明が完成されるに至った。
【０１１５】
したがって、本願発明は、上記実施形態に限定されず、上記技術思想の範囲で種々の変更が可能である。
〜その他〜
【０１１６】
外容器１および内容器２の材質等は特に限定されないが、例えば、透明または半透明の樹脂製であってもよい。
【０１１７】
図８は嵌合前の二重容器を示す図であり、図９は嵌合後の二重容器を示す図である。
【０１１８】
例えば、飲料提供業者のロゴやキャラクターデザインを内容器２に付してもよい。外容器１を介して視認可能とすることにより、外容器１にロゴ等を付す場合と異なる外観を演出できる。たとえば、光の加減で見え方が異なる。これにより、意匠性が向上する。
【０１１９】
また、内容器２にロゴ等をふすことにより、摩擦等によりロゴが剥がれるおそれがない。これにより意匠性を維持できる。
【符号の説明】
【０１２０】
１  外容器
２  内容器
３  断熱空間
１１  外容器底部
１２  外容器胴部
１３  外容器フランジ部
２１  内容器底部
２２  内容器胴部
２３  内容器フランジ部
３０  下部嵌合構造
３１  突起
３２  略水平段
３３  逆テーパ
３６  略水平段
３７  逆テーパ
４０  上部嵌合構造
４１  テーパ
４２  フランジ部外縁下端
４３  略水平段
４４  フランジ部下面
４６  逆テーパ
４７  テーパ
４８  フランジ部外縁上端
【図１】
2019077457.tif 000003
【図２】
2019077457.tif 000004
【図３】
2019077457.tif 000005
【図４】
2019077457.tif 000006
【図５】
2019077457.tif 000007
【図６】
2019077457.tif 000008
【図７】
2019077457.tif 000009
【図８】
2019077457.tif 000010
【図９】
2019077457.tif 000011